(57)【特許請求の範囲】
【請求項１】
冷却ファンを用いて、筐体内部を通風することにより、筐体内部の昇温を抑制する映像表示装置であって、
当該装置が上下反転設置されたことを検出する検出手段と、
前記検出手段の検出出力に基づいて、前記冷却ファンの駆動を制御し、前記通風方向を筐体内部における昇温空気の対流方向に対して順方向に変更する制御手段とを備えたことを特徴とする映像表示装置。
【請求項２】
前記請求項１に記載の映像表示装置において、
前記冷却ファンは前記筐体に形成された通気孔或いはその近傍に配置された可逆ファンであり、
前記制御手段は、前記冷却ファンの回転方向を可変制御するものであることを特徴とする映像表示装置。
【請求項３】
前記請求項１に記載の映像表示装置において、
前記冷却ファンは前記筐体に形成された通気孔或いはその近傍に配置されて送風方向が逆とされている複数の不可逆ファンであり、
前記制御手段は、前記複数の冷却ファンの各々に対して、その駆動／停止を可変制御するものであることを特徴とする映像表示装置。
【請求項４】
前記請求項１に記載の映像表示装置において、
前記映像表示装置はフラットパネル表示装置であり、
前記筐体は、フラットパネルを含む構成部材を収容する前面キャビネットと前記構成部材用の駆動回路基板を含み複数の通気孔が形成されている裏面キャビネットとを備え、
前記冷却ファンによる通風は前記裏面キャビネット内で行われることを特徴とする映像表示装置。
【発明の詳細な説明】
【０００１】
【発明の属する技術分野】
本発明は、テレビジョン受像機等の映像表示装置に関し、特に上下反転設置された場合の筐体内部の温度上昇を抑制することが可能な映像表示装置に関するものである。
【０００２】
【従来の技術】
従来のこの種の映像表示装置を、表示デバイスとして例えば液晶パネルを用いた液晶表示装置について、図７及び図８とともに説明する。ここで、図７は従来の映像表示装置の概略構成を示す（ａ）側断面図、（ｂ）裏面図、図８は映像表示装置を（ａ）通常設置した状態、（ｂ）上下反転設置した状態の外観を示す説明図である。
【０００３】
従来の液晶表示装置は、図７に示すように、画像を表示するための液晶パネル１と、液晶パネル１の背面からバックライト光を照射する蛍光灯２と、蛍光灯２からの照射光を液晶パネル１側へ反射する反射板（パネルシールド）３と、蛍光灯２からの照射光を均一に拡散して液晶パネル１に入射するための光学シート４とを備えている。
【０００４】
また、反射板（パネルシールド）３の裏側（液晶パネル１の反対側）には、液晶パネル１、蛍光灯２の駆動回路部などを含む各種回路基板５が配置されており、上述の各構成部材１〜５は、前面キャビネット６及び裏面キャビネット７からなる筐体内に収納される。
【０００５】
裏面キャビネット７の下方部分（通常設置状態での下端面）には吸気孔８が、上方部分（通常設置状態での上端面）には排気孔９がそれぞれ設けられており、さらに、排気孔９付近には筐体内部の空気を排気することにより、筐体内部の温度上昇を抑制する冷却ファン（排気ファン）１０が設けられている。
【０００６】
すなわち、冷却ファン１０を回転駆動することにより、下端面の吸気孔８から上端面の排気孔９へ抜ける通風路を形成して、蛍光灯２や回路基板５上の電源回路部などから発生する熱を筐体外に放出することが可能である。このように、従来の映像表示装置においては、冷却ファン１０を用いて、筐体内部を下から上へ通風することにより、筐体内部の昇温を抑制している。
【０００７】
【発明が解決しようとする課題】
ところで、この種の映像表示装置においては、図８（ａ）に示すような、支持台（スタンド）１１に取付設置する通常設置状態に加えて、例えば図８（ｂ）に示すような、取付アーム１２を介して天井に吊下設置する上下反転設置状態でも表示画像を視聴することが要望されている。
【０００８】
この場合、支持台１１／取付アーム１２の共通取付部１３が裏面キャビネット７の下方部に設けられているため、さらには、いずれの設置状態においても液晶パネル１の視野角特性を維持するために、通常設置状態における上部が、上下反転設置状態では下部になるように取付設置される。
【０００９】
従って、上下反転設置状態においては、吸気孔８が上方に位置し、排気孔９が下方に位置することとなり、冷却ファン１０による筐体内の通風方向が逆転してしまう。すなわち、熱気流の作用に反して、筐体内の空気は強制的に上から下へ送られることとなり、筐体外への熱の放出効果が低減し、効率的に筐体内を冷却することができない。
【００１０】
本発明は、上記課題に鑑みてなされたものであり、通常設置状態と上下反転設置状態とのいずれの状態で使用しても、効率的に筐体内部の昇温を抑制することが可能な映像表示装置を提供するものである。
【００１１】
【課題を解決するための手段】
本願の第１の発明は、冷却ファンを用いて、筐体内部を通風することにより、筐体内部の昇温を抑制する映像表示装置であって、当該装置が上下反転設置されたことを検出する検出手段と、前記検出手段の検出出力に基づいて、前記冷却ファンの駆動を制御し、前記通風方向を筐体内部における昇温空気の対流方向に対して順方向に変更する制御手段とを備えたことを特徴とする。この発明によれば、装置が上下反転設置されたことを検出した検出手段の検出出力に基づいて冷却ファンの駆動が制御され、冷却ファンの通風方向を筐体内部における昇温空気の対流方向に対して順方向となるように変更するので、冷却ファンによる筐体内の通風流れは筐体内の昇温空気の対流に逆らわない流れとなり、筐体内の空気は概して下から上へ送られ、筐体内の熱が効率的に筐体外に排出される。
【００１２】
本願の第２の発明は、第１の発明である映像表示装置において、前記冷却ファンは前記筐体に形成された通気孔或いはその近傍に配置された可逆ファンであり、前記制御手段は、前記冷却ファンの回転方向を可変制御するものであることを特徴とする。冷却ファンが可逆ファンである場合は、可逆ファンは筐体に形成されている通気孔又はその近傍に配置されて、筐体の通常又は上下反転の設置状態に応じて筐体内で生じる昇温空気の対流方向に対して順方向となるように送風方向が変更される。また、複数の可逆ファンを用いる場合には、筐体の入り口側及び出口側となる通気孔の双方について配置することが好ましく、筐体の通常又は上下反転の設置状態に応じて筐体内で生じる昇温空気の対流方向に対して順方向となるように送風方向が変更される。即ち、下方に配置される可逆ファンは筐体内への吸気ファンとして、また上方に配置される可逆ファンは排気ファンとなるように送風方向が変更される。
【００１３】
本願の第３の発明は、第１の発明である映像表示装置において、前記冷却ファンは前記筐体に形成された通気孔或いはその近傍に配置されて送風方向が逆とされている複数の不可逆ファンであり、前記制御手段は、前記複数の冷却ファンの各々に対して、その駆動／停止を可変制御するものであることを特徴とする。不可逆ファンは筐体の通気孔又はその近傍配置されて、筐体の通常又は上下反転の設置状態に応じて筐体内で生じる昇温空気の対流方向に対して順方向となる送風方向を持つファンが駆動され、対流方向に対して逆方向の送風方向となるファンの駆動が停止される。
【００１４】
本願の第４の発明は、第１の発明である映像表示装置において、前記映像表示装置はフラットパネル表示装置であり、前記筐体は、フラットパネルを含む構成部材を収容する前面キャビネットと前記構成部材用の駆動回路基板を含み複数の通気孔が形成されている裏面キャビネットとを備え、前冷却ファンによる通風は前記裏面キャビネット内で行われることを特徴とする。フラットパネル表示は、フラットパネルを含む構成部材用の駆動回路基板が熱を発生させる要因になっており、この駆動回路基板が収容される裏面キャビネット内を冷却することが映像表示装置の冷却に効率的である。
【００１５】
【発明の実施の形態】
以下、本発明の映像表示装置の第１実施形態を、例えば液晶表示パネルを用いたテレビジョン受像機について、図１乃至図３とともに詳細に説明するが、上述の従来例と同一部分には同一符号を付し、その説明は省略する。
【００１６】
ここで、図１は本実施形態のテレビジョン受像機における通常設置状態を示す（ａ）側断面図、（ｂ）裏面図、図２は本実施形態のテレビジョン受像機における上下反転設置状態を示す（ａ）側断面図、（ｂ）裏面図、図３は本実施形態のテレビジョン受像機における要部概略構成を示すブロック図である。
【００１７】
本実施形態のテレビジョン受像機は、図１及び図２に示すように、当該受像機が上下反転設置されたことを検出する検出手段としての上下検出センサ１７を設けており、当該装置が通常設置状態にあるか上下反転設置状態にあるかを判別することが可能となっている。尚、上下検出センサ１７としては、上下反転設置状態になると検出信号を出力する重力スイッチや、ジャイロセンサなどの各種センサを用いることが可能である。
【００１８】
また、裏面キャビネット７の上方（上端面）及び下方（下端面）にそれぞれ通気孔１８，１９を設けるとともに、一方の通気孔１９付近に可逆ファン２０を設けている。この可逆ファン２０は、印加電圧の極性により正転方向にも逆転方向にも回転駆動させることが可能であり、上下検出センサ１７の検出結果に基づいて、送風方向を逆転させることができる。
【００１９】
すなわち、可逆ファン２０は、上下検出センサ１７の検出結果によって、当該装置が通常設置状態であると判別された場合は、排気ファンとして作用し（図１）、上下反転設置状態であると判別された場合は、吸気ファンと作用する（図２）。これによって、当該装置を通常設置状態と上下反転状態とのいずれの状態で使用しても、筐体内部において昇温した空気（熱気流）が下から上へと流れようとする対流に対して逆らうことなく、可逆ファン２０により、通風方向が常に順方向となるように筐体内部を下から上へ通風させることが可能となり、効率的に筐体内部の昇温を抑制することができる。
【００２０】
また、本実施形態のテレビジョン受像機を示す図３において、３１はアンテナ（図示せず）より受信されたテレビ放送波から指定チャンネルのビデオ信号を出力するチューナ、３２はチューナ３１で選局されたビデオ信号に対して、各種映像処理を行うための映像処理部、３３は映像処理部３２の出力信号に基づいて、液晶パネル１の電圧印加電極を駆動するパネル駆動部である。
【００２１】
３５は上下検出センサ１７の検出結果に基づいて、液晶パネル１に表示される画像を上下左右反転させるように、前記パネル駆動部３３を制御するとともに、可逆ファン２０の回転方向を逆転させるように、ファン電源部３６を制御するマイコンである。ファン電源部３６は、マイコン３５からの指示を受けて、可逆ファン２０に供給する電源電圧の極性を切り換える。この供給電源電圧の極性切換によって、可逆ファン２０の回転方向が逆転される。
【００２２】
以上のように、本実施形態のテレビジョン受像機は、通常設置状態と上下反転設置状態とで、可逆ファン２０の回転方向を可変することにより、筐体内部の通風方向を常に、昇温空気の対流方向に対して順方向、即ち、下から上にすることが可能であり、効率的に筐体内部の昇温を抑制することができる。
【００２３】
次に、本発明の映像表示装置の第２実施形態を、例えば液晶パネルを用いたテレビジョン受像機について、図４乃至図６とともに説明するが、上記第１実施形態と同一部分には同一符号を付し、その説明は省略する。
【００２４】
ここで、図４は本実施形態のテレビジョン受像機における通常設置状態を示す（ａ）側断面図、（ｂ）裏面図、図５は本実施形態のテレビジョン受像機における上下反転設置状態を示す（ａ）側断面図、（ｂ）裏面図、図６は本実施形態のテレビジョン受像機における要部概略構成を示すブロック図である。
【００２５】
本実施形態のテレビジョン受像機は、図４及び図５に示すように、通気孔１８，１９の各々に可逆ファン３０ａ，３０ｂを設けており、２つの可逆ファン３０ａ，３０ｂを用いて筐体内部の通風方向を形成するようにしたものである。ここで、可逆ファン３０ａ，３０ｂの各々は互いに電源極性が逆となるように設定されており、しかも可逆ファン３０ａ，３０ｂの各々は上下検出センサ１７の検出結果に基づいて、送風方向を逆転させることができる。
【００２６】
すなわち、上下検出センサ１７の検出結果によって、当該装置が通常設置状態であると判別された場合は、可逆ファン３０ａが排気ファン，可逆ファン３０ｂが吸気ファンとして作用し（図４）、上下反転設置状態であると判別された場合は、可逆ファン３０ａが吸気ファン，可逆ファン３０ｂが排気ファンとして作用する（図５）。
【００２７】
これによって、当該装置を通常設置状態と上下反転状態とのいずれの状態で使用しても、常に可逆ファン３０ａ，３０ｂにより筐体内部を昇温空気の対流方向に対して順方向、即ち下から上への通風方向で通風させることが可能となり、効率的に筐体内部の昇温を抑制することができる。さらに、２つの可逆ファン３０ａ，３０ｂを用いているため、一つの可逆ファンで吸気又は排気を行う場合と比較して、より冷却効果を高めることができるばかりでなく、騒音の少ない可逆ファン３０ａ，３０ｂを採用することが可能となる。
【００２８】
また、本実施形態のテレビジョン受像機を示す図６において、４６はマイコン３５からの指示を受けて、可逆ファン３０ａ，３０ｂに供給する電源電圧の極性を切り換えるファン電源部である。この供給電源電圧の極性切換によって、可逆ファン３０ａ，３０ｂの回転方向が逆転される。
【００２９】
以上のように、本実施形態のテレビジョン受像機は、通常設置状態と上下反転設置状態とで、２つの可逆ファン３０ａ，３０ｂの回転方向を可変することにより、筐体内部の通風方向を常に下から上にすることが可能であり、効率的に筐体内部の昇温を抑制することができる。
【００３０】
尚、上記第２実施形態においては、それぞれ逆回転をするように設定された可逆ファンを２つ備えたものについて説明したが、装置筐体内の適切な箇所に３つ以上の可逆ファンを設けて、さらに冷却効率を高めるようにしても良いことは言うまでもない。
【００３１】
また、上述した本発明の実施形態においては、可逆ファンを用いて筐体内部の通風方向を可変形成するものについて説明したが、装置筐体内の適切な複数箇所に一方向の不可逆ファンを設けて、それらの回転駆動／停止を、設置状態に応じて可変制御するようにしても良い。
【００３２】
すなわち、当該装置が通常設置状態にあるか上下反転設置状態であるかを検出し、複数の不可逆な冷却ファンの回転／停止を制御することによっても、常に筐体内部の通風方向を下から上にすることが可能となり、効率的に筐体内部の昇温を抑制することができる。即ち、不可逆ファンは筐体に形成されている通気孔又はその近傍等の筐体内の適当な複数箇所に配置され、筐体の通常又は上下反転の設置状態に応じて筐体内で生じる昇温空気の対流方向に対して順方向となる送風方向を持つファンが駆動され、対流方向に対して逆方向の送風方向となるファンの駆動が停止される。なお、筐体の通常又は上下反転の設置状態に応じて筐体の通風用の出口側（即ち、上側）の通気孔又はその近傍に配置される場合には、筐体内の昇温空気を排気する方向に送風方向を持つファンのみを駆動するのが、筐体内部の冷却としては効率的である。
【００３３】
さらに、上述の本発明の実施形態においては、表示デバイスとして液晶パネルを用いたテレビジョン受像機について説明したが、本発明はこれに限らず、設置状態を上下反転させて視聴することが可能なものであって、装置筐体内部の冷却が必要な全ての映像機器に適用しても良いことは明らかである。
【００３４】
本発明の液晶表示装置は、上記のような構成としているので、設置状態に応じて、冷却ファンによる筐体内部の通風方向を可変することにより、常に効率的な冷却効果を得ることが可能となる。また、映像表示装置は、テレビジョンやパーソナルコンピュータのディスプレイなどであって、通常、家庭やオフィスなどで視聴される。そのような場合に、冷却ファンが出す低周波の騒音は耳障りになることがあるが、この発明によれば、筐体内の対流による昇温空気の流れに順となる方向に送風方向を持つように、冷却ファンについてその送風方向や駆動／停止の運転制御をしているので、冷却ファンの運転は低動力で済み、ファンモータの運転音や風切り音の発生を抑えて、映像表示に関して快適な視聴環境を得ることができる。
【図面の簡単な説明】
【図１】本発明の映像表示装置の第１実施形態における通常設置状態を示す（ａ）側断面図、（ｂ）裏面図である。
【図２】本発明の液晶表示装置の第１実施形態における上下反転設置状態を示す（ａ）側断面図、（ｂ）裏面図である。
【図３】本発明の液晶表示装置の第１実施形態における要部概略構成を示すブロック図である。
【図４】本発明の映像表示装置の第２実施形態における通常設置状態を示す（ａ）側断面図、（ｂ）裏面図である。
【図５】本発明の液晶表示装置の第２実施形態における上下反転設置状態を示す（ａ）側断面図、（ｂ）裏面図である。
【図６】本発明の液晶表示装置の第２実施形態における要部概略構成を示すブロック図である。
【図７】従来の映像表示装置の概略構成を示す（ａ）側断面図、（ｂ）裏面図である。
【図８】映像表示装置を（ａ）通常設置した状態、（ｂ）上下反転設置した状態の外観を示す説明図である。
【符号の説明】
１  液晶パネル
２  蛍光灯
３  反射板
４  光学シート
５  回路基板
６  前面キャビネット
７  裏面キャビネット
１７  上下検出センサ
１８、１９  通気孔
２０  可逆ファン
３０ａ、３０ｂ  可逆ファン
３１  チューナ
３２  映像処理部
３３  パネル駆動部
３５  マイコン
３６  ファン電源部
４６  ファン電源部
【図１】
0004126209.tif 000002
【図２】
0004126209.tif 000003
【図３】
0004126209.tif 000004
【図４】
0004126209.tif 000005
【図５】
0004126209.tif 000006
【図６】
0004126209.tif 000007
【図７】
0004126209.tif 000008
【図８】
0004126209.tif 000009